(57)【要約】【課題】多量の天然鉱石を利用することのできる加温具を提供すること。【解決手段】加温具１は、天然鉱石を原料とする粒状体３０を収納する内袋２０と、内部に内袋２０を収納し、内袋２０を出し入れする開閉可能な開口部１２を有する外袋１０と、を有し、開口部１２は、外袋１０の外面に露出しない位置に配置され、外袋１０は、向かい合う一対の面（第１の面１１０、第２の面１２０）を有する略四角形の袋体であり、開口部１２は、一対の面を開閉可能に接続することで形成されるとともに、一対の面のうちの一方又は他方の面により被覆され、内袋２０は、粒状体３０を収納する複数の収納室を有する。【選択図】図１
0003204426.tif 000002
【実用新案登録請求の範囲】
【請求項１】
天然鉱石を原料とする粒状体を収納する内袋と、
内部に前記内袋を収納し、前記内袋を出し入れする開閉可能な開口部を有する外袋と、を有し、
前記開口部は、前記外袋の外面に露出しない位置に配置され、
前記外袋は、向かい合う一対の面を有する略四角形の袋体であり、
前記開口部は、前記一対の面を開閉可能に接続することで形成されるとともに、前記一対の面のうちの一方又は他方の面により被覆され、
前記内袋は、前記粒状体を収納する複数の収納室を有する加温具。
【請求項２】
前記天然鉱石は、トルマリンであり、
前記粒状体は、
端部が面取りされた長径が５ｍｍ以上８ｍｍ以下、短径が１．５ｍｍ以上３ｍｍ以下の長球状であり、
前記内袋に、７５０ｇ以上８５０ｇ以下収納された
請求項１に記載の加温具。
【考案の詳細な説明】
【技術分野】
【０００１】
本考案は、加温具に関し、詳細には、天然鉱石の粒状物を用いた加温具に関する。
【背景技術】
【０００２】
従来、トルマリン等の天然鉱石が遠赤外線を発することから、加温して人体を暖めるために用いることが知られている。このような装置の一つとして、トルマリンの粉末を混入させた不織布で、発熱原料を収納する内袋を形成し、この内袋を、一方を開口して三方を閉じた外袋に収納して、外部に接着体を設け、下着等に貼着して用いるカイロ（例えば特許文献１）が提案されている。
【先行技術文献】
【特許文献】
【０００３】
【特許文献１】特開２００７−２２９３４９号公報
【考案の概要】
【考案が解決しようとする課題】
【０００４】
特許文献１に記載の加温具は、外袋の開口が閉じていないため、加温具を保持する位置を誤ると内袋が落ちることが考えられ、比較的薄い、平坦な内袋しか収納することができなかった。このため、多量のトルマリンを内袋に収納することができず、加温の効果が小さくなっていた。
【課題を解決するための手段】
【０００５】
上記目的を達成するため本考案は、天然鉱石（例えば、後述のトルマリン）を原料とする粒状体（例えば、後述の粒状体３０）を収納する内袋（例えば、後述の内袋２０）と、
内部に前記内袋を収納し、前記内袋を出し入れする開閉可能な開口部（例えば、後述の開口部１２）を有する外袋（例えば、後述の外袋１０）と、を有し、前記開口部は、前記外袋の外面に露出しない位置に配置され、前記外袋は、向かい合う一対の面（例えば、後述の第１の面１１０、第２の面１２０）を有する略四角形の袋体であり、前記開口部は、前記一対の面を開閉可能に接続することで形成されるとともに、前記一対の面のうちの一方又は他方の面により被覆され、前記内袋は、前記粒状体を収納する複数の収納室（例えば、後述の収納室２１）を有する加温具を提供する。
【０００６】
前記天然鉱石は、トルマリンであり、前記粒状体は、端部が面取りされた長径が５ｍｍ以上８ｍｍ以下、短径が１．５ｍｍ以上３ｍｍ以下の長球状であり、前記内袋に、７５０ｇ以上８５０ｇ以下収納されたことが好ましい。
【考案の効果】
【０００７】
本考案によれば、多量の天然鉱石を利用することのできる加温具を提供することができる。
【図面の簡単な説明】
【０００８】
【図１】本考案の一実施形態における加温具を示す斜視図であり、図１（ａ）は外袋を示し、図１（ｂ）は、内袋を示す。
【図２】上記実施形態の加温具における開口部を示す図である。
【図３】上記実施形態の加温具の使用状態を示す図である。
【図４】上記実施形態の加温具の使用状態を示す図である。
【考案を実施するための形態】
【０００９】
以下、本考案の一実施形態について、図面を参照しながら詳しく説明する。
図１は加温具を示す斜視図であり、図１（ａ）は外袋を示し、図１（ｂ）は、内袋を示す。図１（ａ）及び（ｂ）に示すように、加温具１は、外袋１０と、内袋２０と、粒状体３０と、を有する。加温具１は、以下に説明する粒状体３０が内袋２０に収納され、粒状体３０を収納した内袋２０が外袋１０に収納された状態で加温されるものである。
【００１０】
本実施形態において、図１（ｂ）に示すように、粒状体３０は、天然鉱石であるトルマリン（ケイ酸塩鉱物）の小片である。粒状体３０のそれぞれは、おおむねラグビーボールのような長球状の長細い粒であり、例えば長径が５ｍｍ以上８ｍｍ以下、短径が１．５ｍｍ以上３ｍｍ以下程度である。粒状体３０は、端部が面取りされている。粒状体３０は、一つの加温具１に、例えば７５０ｇ以上８５０ｇ以下程度収納される。
【００１１】
外袋１０は、外袋本体１１と、開口部１２と、を有し、布等の洗濯が可能な素材で構成される。
【００１２】
外袋本体１１は、略長方形の袋体であり、第１の面１１０及び第２の面１２０を構成する一対の四角形の布が袋状に縫い合わされたものである。第１の面１１０及び第２の面１２０は、例えばそれぞれ短辺が１４０ｍｍ以上１６０ｍｍ以下、長辺が１８０ｍｍ以上２１０ｍｍ以下の寸法を有する。
【００１３】
図２は、開口部１２を示す斜視図である。開口部１２は、外袋本体１１における一方の短辺に沿って配置される。図１（ａ）及び図２に示されるように、開口部１２は、外袋本体１１の第２の面１２０における短辺の一方を、第１の面１１０側に折り返した位置で、第１の面１１０と第２の面１２０とを接続するようにファスナ１３を取り付けることで形成される。また、ファスナ１３は、図１（ａ）に示すように、第１の面１１０により被覆され、外袋本体１１の外面に露出しない位置に配置される。
【００１４】
図１（ｂ）に戻って、内袋２０は、外袋１０の内部に収容可能な大きさの略四角形の袋体である。内袋２０は、２つの収納室２１を有し、内部が２つに区切られて、それぞれの収納室２１に粒状体３０が収納されている。内袋２０は、内部に粒状体３０を収納した状態で一対の布の四周を互いに縫い合わせるとともに、内部を二分するように内袋２０の長手方向の中央部において幅方向に縫い合わせたものである、内袋２０は、開口部を有さず、開閉されない。内袋２０は、外袋１０よりも薄い素材で構成される。
【００１５】
図３に示すように、以上の加温具１は、加温器５に収容されて加温される。加温器５は略直方形で内部が加温具１を収納可能な凹部となっており、扉５１と、棚５２と、加熱部５３と、を有する。
扉５１は、加温器５の前面に設けられる。扉５１は、内部の熱を逃がさないように二重扉により構成され、外扉５１ａ及び内扉５１ｂを有する。
棚５２は、加温具１を複数収容できるように加温器５の上下方向に複数段配置される。
加熱部５３は、加温器５の背面内部に配置されるヒーターである。
【００１６】
次に、図３及び図４を参照して、加温具１の使用状態について説明する。
図３に示すように、加温具１は、加温器５内の棚５２に載せて収容され、所定の時間加温される。加温具１は、外側から熱を受けることで、内袋２０内に収納された粒状体３０の温度を上げられ、例えば、２０度〜７５度の範囲で、使用者が心地よいと感じる所望の温度まで上げられる。
【００１７】
十分に加温された加温具１は、図４に示すように、例えば人体の肩や腰、脚等、疲労や冷えを感じる部位に、タオル６等を敷いた上に載せて使用する。このとき、加温具１は、電源にコード等で接続されていないため、人体の自由な位置に配置可能であり、加温器５から離れた位置でも利用できる。また、粒状体３０は、一つの加温具１当たり約８００ｇ程度収納されているため、加温具１を人体に載せると、使用者は、押圧されているかのような重さを温熱とともに感じる。トルマリンの粒状体３０は、ひとつひとつが面取りをされて端部の丸いラグビーボールのような形状をしているため、人体の上に載せても、粒が当たって痛くなるようなことはない。
【００１８】
加温具１は、熱源と別体になっているため、加温具１の温度が低下したら、再度加温器５に収容して加温することで、繰り返し使用することができる。また、外袋１０が汚れたり、人体の汗に触れたりした場合、洗濯すればよい。
【００１９】
本実施形態によれば、以下の効果が奏される。
本実施形態では、加温具１を、天然鉱石を原料とする粒状体３０を収納する内袋２０と、内部に内袋２０を収納し、内袋２０を出し入れする開閉可能な開口部１２を有する外袋１０と、を含んで構成した。また、開口部を、外袋１０の外面に露出しない位置に配置した。また、外袋１０を、向かい合う一対の第１の面１１０及び第２の面１２０面を有する略四角形の袋体とした。また、開口部１２を、第１の面１１０及び第２の面１２０を開閉可能に接続することで形成するとともに、第１の面１１０又は第２の面１２０により被覆した。また、内袋２０を、粒状体３０を収納する複数の収納室２１を含んで構成した。
【００２０】
本実施形態によれば、開口部１２が開閉可能に構成されて、内袋を収容した状態で閉じられているので、内部に多量の粒状体３０を収納した内袋２０を収納し、外袋１０を人体の自由な位置に配置するよう傾けたり逆さにしたりしても、内袋２０が外袋１０から抜け落ちたり外れることがない。このため、多量のトルマリンの粒状体３０を収納した加温具１を提供することができる。そして、多量のトルマリンの粒状体３０を収納した加温具１を人体に載せると、人体が良好に暖まり、血行が良くなることに加え、疲労した部分を加温具１により押圧させることができるため、より良好な疲労回復やリラックス効果を得ることができる。
さらに、加温具１に多量の粒状体３０を収納することで厚みが出ても、開口部１２が外部から露出しておらず、第１の面１１０又は第２の面１２０により被覆されている。このため、開口部が加温具１の表裏のいずれかの面を人体に当てた場合や、変形して他の部分が人体に当たった場合でも、ファスナ１３等の開口部１２を構成する部品が人体に当たることがなく、快適に使用することができる。
また、内袋２０が複数の収納室２１を有するため、粒状体３０を多く内袋２０に詰めても、収納室２１に区切られているので、加温具１を傾けたり移動させたりしたときに、粒状体３０が一方へ偏ってしまうことが抑制される。
【００２１】
また、本実施形態によれば、天然鉱石を、トルマリンにより構成した。また、粒状体３０を、端部が面取りされた長径が５ｍｍ以上８ｍｍ以下、短径が１．５ｍｍ以上３ｍｍ以下の長球状とし、内袋２０に、７５０ｇ以上８５０ｇ以下収納した。天然鉱石がトルマリンであるため、遠赤外線効果で良好に人体を保温することができる。また、粒状体の端部が面取りされているので、内袋２０や外袋１０を介して尖った先端が皮膚に当たるようなことがなく、柔らかな感触で快適な使い心地が得られる。さらに、重さが５０ｇ以上８５０ｇ以下であるため、人体の上に載せて所定時間経過すると、その重量によりトルマリンの温熱が人体に伝わりやすくなり、疲労や冷えが感じられる部分が良好に暖まる。また、一つの加温具１が上記範囲の重量であることから片手で持って人体の所望の位置に置きやすく、取扱い容易性に優れる。
【００２２】
なお、本発明は上記実施形態に限定されるものではなく、本発明の目的を達成できる範囲での変形、改良等は本発明に含まれる。
例えば、上記実施形態では、加温具１を略長方形の一つの外袋１０を備えるものとして説明しているがこれに限られない。加温具１を当てる人体の部位によって適宜増やすことができる。図４に示すように、外袋１０を複数、外袋１０の短辺方向に連結した加温具１Ａや、又は長辺方向に連結した加温具１Ｂを用いてもよい。
【００２３】
また、上記実施形態では、開口部１２はファスナ１３を取り付けることで構成されているが、これに限られない。開口部１２を開閉自在にする部材としては、面ファスナー（フック・アンド・ループファスナー）やスナップボタン、フック等を用いてもよい。
【符号の説明】
【００２４】
１    加温具
１０  外袋
１２  開口部
２０  内袋
２１  収納室
３０  粒状体
１１０  第１の面（一対の面）
１２０  第２の面（一対の面）
【図１】
0003204426.tif 000003
【図２】
0003204426.tif 000004
【図３】
0003204426.tif 000005
【図４】
0003204426.tif 000006